(57)【特許請求の範囲】
【請求項１】
プラスチックパイプの外周に独立した環状の補強リブが略等間隔に複数立設されてなるリブパイプ同士を重ね合わせて接続した部分に発生した割れの補修方法であって、
（１）割れの発生している部分全周にわたって、補強リブが隠れる高さまでエポキシ樹脂系硬化型接着剤を塗布する第一工程、
（２）エポキシ樹脂系硬化型接着剤の一端部及びその近傍のリブパイプに、熱収縮性フィルムの一面に粘着剤層が積層されている熱収縮性粘着テープを巻回し、加熱して熱収縮性粘着テープを収縮させる第二工程、
（３）エポキシ樹脂系硬化型接着剤の他端部及びその近傍のリブパイプに、熱収縮性フィルムの一面に粘着剤層が積層されている熱収縮性粘着テープを巻回し、加熱して熱収縮性粘着テープを収縮させる第三工程及び
（４）両側の熱収縮された熱収縮性粘着テープとその間のエポキシ樹脂系硬化型接着剤に、熱収縮性フィルムの一面に粘着剤層が積層されている熱収縮性粘着テープを巻回し、加熱して熱収縮性粘着テープを収縮させる第四工程
からなることを特徴とするリブパイプの補修方法。
【発明の詳細な説明】
【０００１】
【発明の属する技術分野】
本発明は、リブパイプ同士の接続部分にひび割れ、穴等の割れが発生した際の補修方法に関する。
【０００２】
【従来の技術】
光ファイバーケーブル、電力ケーブル等のケーブルを地中に敷設する方法として、ケーブルをさや管に挿通し、複数のさや管を外管に挿通して地中に埋設する方法が採用されている。
【０００３】
このような外管は強度が要求されるので、プラスチックパイプの外周に独立した環状の補強リブが略等間隔に複数立設されてなるリブパイプが使用されているが、敷設後ケーブルの交換や増設の工事、周辺の土木工事などで破損されることがあった。
【０００４】
ひび割れ、小さな穴開き等の割れの場合は、破損箇所をテーピングすることにより補修されているが、テーピングだけでは強度が弱く防水も不充分であった。特に、リブパイプ同士の接続部分では水密性を持たすのは非常に困難であった。更に、リブパイプを地中の埋設敷設後に補修するのは困難であり、埋設敷設後にも容易に水密性よく補修する方法が望まれていた。
【０００５】
【発明が解決しようとする課題】
本発明の目的は、上記実情に鑑みてなされたものであって、リブパイプ同士の接続部分に割れが発生した際に、特に、リブパイプが地中に埋設敷設後に割れが発生した際に、短時間に容易に補修でき、補修は強固で水密性よく補修できる方法を提供することにある。
【０００６】
【課題を解決するための手段】
本発明のリブパイプの補修方法は、プラスチックパイプの外周に独立した環状の補強リブが略等間隔に複数立設されてなるリブパイプ同士を重ね合わせて接続した部分に発生した割れの補修方法であって、
（１）割れの発生している部分全周にわたって、補強リブが隠れる高さまでエポキシ樹脂系硬化型接着剤を塗布する第一工程、
（２）エポキシ樹脂系硬化型接着剤の一端部及びその近傍のリブパイプに、熱収縮性フィルムの一面に粘着剤層が積層されている熱収縮性粘着テープを巻回し、加熱して熱収縮性粘着テープを収縮させる第二工程、
（３）エポキシ樹脂系硬化型接着剤の他端部及びその近傍のリブパイプに、熱収縮性フィルムの一面に粘着剤層が積層されている熱収縮性粘着テープを巻回し、加熱して熱収縮性粘着テープを収縮させる第三工程及び
（４）両側の熱収縮された熱収縮性粘着テープとその間のエポキシ樹脂系硬化型接着剤に、熱収縮性フィルムの一面に粘着剤層が積層されている熱収縮性粘着テープを巻回し、加熱して熱収縮性粘着テープを収縮させる第四工程
からなることを特徴とする。
【０００７】
【発明の実施の形態】
リブパイプとは、プラスチックパイプの外周に独立した環状の補強リブが略等間隔に複数立設されてなるパイプであって、本発明は、リブパイプ同士を重ね合わせて接続した部分に発生した割れの補修方法である。
【０００８】
本発明における第一工程は、割れの発生している部分全周にわたって、補強リブが隠れる高さまでエポキシ樹脂系硬化型接着剤を塗布する工程である。
【０００９】
上記エポキシ樹脂系硬化型接着剤は、プラスチックパイプに接着しうる、従来公知の任意のエポキシ樹脂系硬化型接着剤が使用可能であり、例えば、積水化学工業からエスロンドレンタイトの商品名で販売されている、エポキシ樹脂と充填剤よりなる主剤と、ポリアミドアミン、ポリチオール、第３級アミン及び充填剤よりなる助剤からなる接着剤があげられる。
【００１０】
リブパイプの接続は、一般に内側のリブパイプの補強リブと補強リブで形成される溝にゴムリングを装着することによって止水されているので、この部分に割れが発生すると割れに沿って水が漏れてしまう。又、エポキシ樹脂系硬化型接着剤の塗布が補強リブより低い高さまでしか塗布されていないと、熱収縮性粘着テープを収縮させた際にエポキシ樹脂系硬化型接着剤と熱収縮性粘着テープの間に空間が発生し、充分な水密性が得られなくなる。
【００１１】
従って、本発明では、割れの発生している部分全周にわたって、即ち、割れの発生している部分の両側の補強リブと補強リブの間の全周にわたって、補強リブが隠れる高さまでエポキシ樹脂系硬化型接着剤を塗布する。
【００１２】
本発明における第二工程は、エポキシ樹脂系硬化型接着剤の一端部及びその近傍のリブパイプに、熱収縮性フィルムの一面に粘着剤層が積層されている熱収縮性粘着テープを巻回し、加熱して熱収縮性粘着テープを収縮させる工程である。
【００１３】
上記熱収縮性粘着テープは熱収縮性フィルムの一面に粘着剤層が積層されているテープであって、一般に建築用に使用されている、粘着性熱収縮性テープが使用可能であり、例えば、積水化学工業からポリロンジャケットの商品名で販売されている、熱収縮性架橋ポリエチレンフィルムの一面にブチルゴム系粘着剤層が積層されてなる熱収縮性粘着テープがあげられる。
【００１４】
熱収縮性粘着テープはエポキシ樹脂系硬化型接着剤の一端部及びその近傍のリブパイプに巻回するが、エポキシ樹脂系硬化型接着剤の一端部から全体の３分の１程度巻回するが好ましい。リブパイプは少なくともエポキシ樹脂系硬化型接着剤が塗布された最近の補強リブまで巻回するが、その近傍の２、３の補強リブまで巻回してもよい。
【００１５】
又、熱収縮性粘着テープの巻回回数は、巻回する幅と熱収縮性粘着テープの幅から適宜決定すればよく、同一場所の巻回も１回でも複数回でもよい。
【００１６】
巻回後、加熱して熱収縮性粘着テープを収縮させ密着させるが、加熱方法は従来公知の任意の方法が採用されてよく、例えば、バーナーで端部から中心方向に加熱していく方法があげられる。
【００１７】
本発明における第三工程は、エポキシ樹脂系硬化型接着剤の他端部及びその近傍のリブパイプに、熱収縮性フィルムの一面に粘着剤層が積層されている熱収縮性粘着テープを巻回し、加熱して熱収縮性粘着テープを収縮させる工程である。
【００１８】
第三工程は、第二工程とは反対側のエポキシ樹脂系硬化型接着剤端部及びその近傍のリブパイプに熱収縮性粘着テープを巻回し、加熱して熱収縮性粘着テープを収縮させるのであり、第二工程と同様に行う。
【００１９】
上記第二工程又は第三工程において、エポキシ樹脂系硬化型接着剤を塗布した場所が、接続部外側のリブパイプの端部に近い場合は、水密性が向上するように熱収縮性粘着テープを内側のリブパイプの補強リブまで巻回して加熱収縮させるのが好ましい。
【００２０】
本発明における第四工程は、両側の熱収縮された熱収縮性粘着テープとその間のエポキシ樹脂系硬化型接着剤に、熱収縮性フィルムの一面に粘着剤層が積層されている熱収縮性粘着テープを巻回し、加熱して熱収縮性粘着テープを収縮させる工程である。
【００２１】
熱収縮性粘着テープは、第二工程及び第三工程で巻回した熱収縮性粘着テープの１／３〜１／２が重なるように巻回するのが好ましい。
【００２２】
この工程により第二工程〜第四工程で巻回した熱収縮性粘着テープが一体となり、水密性が向上すると共に割れた部分が補強される。
【００２３】
尚、熱収縮性粘着テープを巻回し、加熱して熱収縮性粘着テープを収縮させる第二工程〜第四工程は、エポキシ樹脂系硬化型接着剤が未硬化で柔らかい時に行うと、熱収縮性粘着テープを収縮させる際に、エポキシ樹脂系硬化型接着剤が変形してリブパイプ及び熱収縮性粘着テープに強固に密着し、水密性が向上し強固に補強されるので好ましい。
【００２４】
【発明の効果】
本発明のリブパイプの補修方法は上述の通りなので、リブパイプ同士の接続部分に割れが発生した際に、特に、リブパイプが地中に埋設敷設後にひび割れが発生した際に、短時間に容易に補修でき、補修は強固で水密性よく補修できる。